(57)【特許請求の範囲】
【請求項１】
ａ．下端を遊動自在に支着し、上端側を後方に下り勾配をつけて排出部を形成し、この排出部の裏面に偏心ローラーを配置したバースクリーン型の除塵機において、
ｂ．上端側に前記偏心ローラーに上方から覆うような逆Ｕ字状の吊設部を形成した平板状のローラーカバーを設け、このローラーカバーを前記偏心ローラーに対して取り付けることにより、該偏心ローラーの偏心回転に連れてローラーカバーに偏心運動を付与することにより偏心ローラーの表面にゴミが付着しないように構成して成る除塵機。
【請求項２】
前記ローラーカバーの先端に弾性板を継ぎ足して成る請求項１に記載の除塵機。
【請求項３】
前記弾性板がゴム材から成ることを特徴とする請求項２に記載の除塵機。
【請求項４】
前記ローラーカバーの吊設部の入口に偏心ローラーから外れるのを防止するための外れ防止具を取り付けて成る請求項１に記載の除塵機。
【発明の詳細な説明】
【技術分野】
【０００１】
本発明は、排水中から固形物を除去するためのバースクリーン型の除塵機に関する。
【背景技術】
【０００２】
バースクリーン型の除塵機（以下単に「除塵機」と称す。）について、本件出願人は特許第８８９００３号及び実公昭５５−２１００号を含む多数の発明及び実用新案を出願し、その改良を重ねて図５に示す現在の形態に至っている。
【０００３】
この図５において、除塵機１は、機枠２の正面にバースクリーン３を形成し、このバースクリーン３面に流着した固形物を上下のスプロケット６間を走行するチェン５に取り付けられたレーキ４により掻き揚げて後方に形成した排出部３ｂから排出する構成となっている。
【０００４】
そして、上記除塵機１の場合、排出部３ｂにおいてレーキ６が下方に抜け出て行くときに、このレーキ６に例えば毛髪とかチリ紙が絡み付いてバースクリーン３の目の間から落下したり、レーキ６に付着したまま再びバースクリーン３の下部に至り、このバースクリーン３の目からレーキ６が表に出るときにバースクリーン３の目のところに付着し、やがて目詰りのような現象を起すため、これを解消するために前記した実公昭５５−２１００号公報に掲載されている目詰り防止装置を提案した。
【０００５】
この目詰り防止装置は、図５においてはバースクリーン３の排出部３ｂの下部に沿って偏心回転軸８ａで回転する偏心ローラー８を設け、この偏心回転により排出部３ｂ図５において、駆動モータである。に揺動運動を与えてレーキ６への絡み付きを防いでいる。
【先行技術文献】
【特許文献】
【０００６】
【特許文献１】特許第８８９００３号公報
【非特許文献１】実公昭５５−２１００号公報
【発明の概要】
【発明が解決しようとする課題】
【０００７】
この結果、レーキ６への絡み付きは解消したが、今度は、図６に示すように、偏心ローラー８の表面に毛髪やチリ紙の捲き込みが発生し、図７に示すように偏心ローラー８の表面に捲き込んだ毛髪やチリ紙が付着して層状に堆積してしまうことから、この偏心ローラー８の付着物ｂを掻き落す作業が定期的に必要になると云った問題が設置場所の条件によっては発生している。
【０００８】
本発明は、斯る点に鑑みて提案されるものであって、その目的は、偏心ローラーの表面に毛髪やチリ紙のようなものが付着しないようにすることである。
【課題を解決するための手段】
【０００９】
上記目的を達成するため、請求項１に記載の除塵機においては、ａ．下端を遊動自在に支着し、上端側を後方に下り勾配をつけて排出部となし、この排出部の裏面に偏心ローラーを配置したバースクリーン型の除塵機において、
ｂ．上端側に前記偏心ローラーを上方から覆うように逆Ｕ字状の吊設部を形成したローラーカバーを設け、このローラーカバーを前記偏心ローラーに対して取り付けることにより、該偏心ローラーの偏心回転に連れてローラーカバーに偏心運動を付与することにより偏心ローラーの表面にゴミが付着しないように構成して成ることを特徴とするものである。
【００１０】
また、請求項２に記載の発明は、請求項１に記載の除塵機において、前記ローラーカバーの先端に弾性板を継ぎ足して成ることを特徴とするものである。
この発明によると、ローラーカバーの先端が直接ホッパー等に当って騒音や振動が発生したりしない。
【００１１】
また、請求項３に記載の発明は、請求項２に記載の除塵機において、前記弾性板がゴム材から成ることを特徴とするものである。
【００１２】
また、請求項４に記載の発明は、請求項１に記載の除塵機において、前記ローラーカバーの吊設部の入口に偏心ローラーから外れるのを防止するための外れ防止具を取り付けて成ることを特徴とするものである。
【発明の効果】
【００１３】
本発明は以上に説明したように、偏心ローラーにローラーカバーを取り付けたことにより、偏心ローラーの表面が露出せず、よって毛髪やチリ紙が偏心ローラーの回転により捲き込まれてその表面に付着することはない。
【００１４】
また、偏心ローラーの偏心回転はローラーカバーに伝わり、このローラーカバーが一緒に偏心運動を行い、この偏心運動によりローラーカバー自体が揺動するため、このローラーカバーへの付着も無くなる。
【００１５】
また、ローラーカバーは偏心ローラーに吊設部を掛けるようにして取り付けるだけのため、簡単に付けたり取り外したりすることができる。
【図面の簡単な説明】
【００１６】
【図１】偏心ローラーにローラーカバーを装着した状態を示す除塵機のトップ部分の側面図。
【図２】トップ部分の正面図。
【図３】（Ａ）、（Ｂ）  ローラーカバーを示すもので、（Ａ）は外れ防止具の無い例、（Ｂ）は外れ防止具を取り付けた例の説明図。
【図４】ローラーカバーとバーとの関係を示す説明図。
【図５】現在の除塵機の説明図。
【図６】偏心ローラーに毛髪やチリ紙が付着した状態の説明図。
【図７】偏心ローラーの周囲に付着物が堆積した状態の説明図。
【発明を実施するための形態】
【００１７】
本発明に係るバースクリーン型の除塵機は、汚水中からの固形物の排除とか、用水路中からの固形物の排除等に用いられる。
【００１８】
以下図１〜４に基づいて本発明の実施例を詳細に説明する。図１は偏心ローラーに本発明のローラーカバーを取り付けた状態を示し、図２は図１において矢視Ａ方向からの見たときの説明図、図３（Ａ）はローラーカバーの説明図、図３（Ｂ）は外れ防止具付きローラーカバーの説明図、図４はローラーカバーの装着状態とバーの支持関係を示す説明図である。
【００１９】
各図において、符号の１は除塵機、２は機枠、３はバースクリーン、３ａはバー、３ｂは排出部、４は上部及び下部スプロケット６間に掛け渡されたチェン５に取り付けられた櫛歯状のレーキであって、バースクリーン３の正面に流着した固形物はこのレーキ４により掻き揚げられて前記排出部３ｂから排出される。
【００２０】
８は偏心ローラー、８ａは偏心回転軸、８ｂは軸受である。
【００２１】
１０は金属製の平板の上部を逆Ｕ字状に円曲して吊設部１１を形成し、正面１２の下端に沿ってゴム板製の弾性板１３をボルト１４により取り付けたローラーカバーであって、このローラーカバー１０は、図３（Ａ）に示すように偏心ローラー８に吊設部１１を引っ掛けるようにして吊設し、偏心ローラー８の偏心回転に伴って図１、図４ａにおいて示すように偏心運動を行うことによりバースクリーン３の排出部３ｂの目詰りを防止する。
なお、ローラーカバー１０に対して弾性板Ｂは必ずしも取り付ける必要はない。
【００２２】
また、偏心ローラー８は、ローラーカバー１０の吊設部１１内で回転し、固形物とは直接に接触しないため、この固形物を捲き込むことはなく、固形物はローラーカバー１０の正面１２を滑動しながら排出される。
【００２３】
なお、ローラーカバー１０の吊設部１１については、上記実施例のように逆Ｕ字状に円曲させただけでも良いが、稼動条件によっては外れたりする心配もあるので、この時は図３（Ｂ）に示すように偏心ローラー８の外にボルト１６でスリーブ１５を取り付けて外れ止めを行うようにしても良い（請求項４に対応）。但し、この外れ止めは、偏心ローラー８から外れないようにするだけなので、ストッパー片を吊設部１１に取り付けるとか、逆Ｕ字状に折り曲げた後側を内側に少し突出させて入口の幅を偏心ローラー８の直径よりも小さく形成したりして外れ止めを行うように形成しても良い。
【００２４】
以上のように、偏心ローラー８にローラーカバー１０を取り付けることにより、図４に示すようにバースクリーン３の排出部３ｂのところにおいて毛髪やチリ紙等の捲き込みがなく、よって従来のように偏心ローラー８に付着した毛髪やチリ紙等の除去作業を行う必要がないと共に偏心ローラー８に付着した固形物によりバー３ａのピッチが狂ったりしてレーキに作用する摩擦が大きくなったり、レーキ４の損傷や駆動モータにかかる負荷が大きくなると云った問題も解消される。
【符号の説明】
【００２５】
１  除塵機
２  機枠
３  バースクリーン
３ａ  バー
３ｂ  排出部
４  レーキ
５  チェン
６  スプロケット
８  偏心ローラー
８ａ  偏心回転軸
８ｂ  軸受
１０  ローラーカバー
１１  吊設部
１２  正面
１３  弾性板
１４  ボルト
１５  スリーブ
１６  ボルト
【図１】
0005588855.tif 000002
【図２】
0005588855.tif 000003
【図３】
0005588855.tif 000004
【図４】
0005588855.tif 000005
【図５】
0005588855.tif 000006
【図６】
0005588855.tif 000007
【図７】
0005588855.tif 000008